(57)【要約】【課題】  内視鏡の観察窓を洗浄した後の乾燥にあたり、過剰なＣＯ２ガスを供給することなく、高い乾燥効果で観察窓を乾燥することを目的とする。【解決手段】  硬性内視鏡１の挿入部２の先端に設けられる観察窓２５を洗浄するために、挿入部２の先端に向けて洗浄液又は加圧されたＣＯ２ガスを選択的に供給できる噴射ノズル２１が硬性内視鏡１の先端部に設けられている。ＣＯ２ガスは、ＣＯ２ガスボンベ８０に接続される液滴除去用ガス配管４０及び硬性内視鏡１の液滴除去用ガス供給管路２４を経由して噴射ノズル２１に導かれる。洗浄液は、ＣＯ２ガスボンベ８０からのＣＯ２ガスの液面加圧により、洗浄液配管３０及び硬性内視鏡１の洗浄液供給菅路２３を経由して噴射ノズル２１に導かれる。このとき、ガス供給チューブ４０の流路断面は洗浄液供給チューブ３０の流路断面よりも小さく形成している。【選択図】  図１
2007252673.tif 000002
【特許請求の範囲】
【請求項１】
内視鏡の挿入部先端に設けられる観察窓を洗浄するために、前記挿入部先端に向けて洗浄液又は加圧されたＣＯ２ガスを選択的に供給できる噴射ノズルを前記内視鏡先端部に設け、前記噴射ノズルに前記ＣＯ２ガスを供給するための通路となる液滴除去用ガス供給管路と前記洗浄液を供給するための通路となる洗浄液供給管路とが前記内視鏡の内部に具備され、前記内視鏡内で前記液滴除去用ガス供給管路と前記洗浄液供給管路とが合流された内視鏡と、
前記内視鏡の前記液滴除去用ガス供給管路と接続され、前記ＣＯ２ガスを供給するための液滴除去用ガス配管と、
前記内視鏡の前記洗浄液供給管路と接続され、前記洗浄水を供給するための洗浄液配管とを有し、
前記液滴除去用ガス配管の流路断面は前記洗浄液配管の流路断面よりも小さく形成することを特徴とする内視鏡の観察窓洗浄機構。
【請求項２】
前記ＣＯ２ガスの供給手段とガス供給配管とが接続され、
前記ガス供給配管は、洗浄液を供給するための洗浄液供給手段に充填される前記洗浄液の上部に導出される加圧用ガスパイプと接続され、前記加圧用ガスパイプは途中で、前記液滴除去用ガス配管に接続される液滴除去用ガス供給パイプに分岐され、
前記液滴除去用ガス供給パイプには前記液滴除去用ガス配管が接続され、
前記液滴除去用ガス配管の流路断面は、前記ガス供給配管の流路断面よりも小さく形成することを特徴とする請求項１記載の内視鏡の観察窓洗浄機構。
【請求項３】
前記液滴除去用ガス配管と前記洗浄液配管とは一体となって形成されるマルチルーメンチューブであることを特徴とする請求項１記載の内視鏡の観察窓洗浄機構。
【発明の詳細な説明】
【技術分野】
【０００１】
本発明は内視鏡の先端に具備される観察窓を洗浄する内視鏡の観察窓洗浄機構に関するものである。
【背景技術】
【０００２】
腹腔鏡外科手術は開腹することなく、体腔内壁や臓器等における腫瘍等の患部の切除、臓器の切除、縫合や止血等といった手術若しくは処置なりが行われるため、患者への負担は開腹手術に比べて軽い。腹腔鏡外科手術においては、気腹ガスを腹腔内に充満させて腹腔を大きく膨らませる。そして、複数のトラカール等からなるガイド管を腹腔内に挿入し、そのうち１つのガイド管から内視鏡を挿通させて、腹腔内の映像を取得して観察を行う。
【０００３】
トラカール等のガイド管から挿入される内視鏡の挿入部の先端硬質部には、少なくとも照明窓と観察窓とが設けられ、照明窓から腹腔内を照明することによって、観察部を介して腹腔内の観察を行えるようにしている。従って、観察窓は常に清浄な状態に保つ必要があるが、内視鏡検査を行っている間は、観察窓の表面には体液その他の汚損物が付着することから、挿入部の腹腔内に位置させた状態で、随時観察窓を洗浄することができる機構を備えている。観察窓の洗浄は、洗浄液を観察窓の表面に噴射して、汚損物を洗い流し、このようにして汚損物が洗い流された後に観察窓表面に残存する洗浄液の液滴を加圧エアにより吹き飛ばすようにして行われる。
【０００４】
ところで、上部・下部の消化器用内視鏡の場合は、洗浄液の液滴を吹き飛ばす加圧エアとしては空気を用いることができるが、腹腔鏡外科手術は閉じられた空間で行われることから、患者保護の観点より、気腹ガスと同様、空気ではなくＣＯ２ガスが用いられるようになってきている。そこで、観察窓に付着した洗浄液の液滴を除去するためにＣＯ２ガスを用いているものが特許文献１に開示されている。この特許文献１の発明では、ＣＯ２ガスが充填されたガスボンベから送気用チューブを介して、シースに突設している送気口体に導かれる。そして、送気口体に連通している送気管路を介して、シース本体の先端に設けられる噴射ノズルからＣＯ２ガスが噴射することにより、液滴を吹き飛ばして乾燥している。
【特許文献１】特許第３３５９０４８号公報
【発明の開示】
【発明が解決しようとする課題】
【０００５】
ところで、空気とＣＯ２ガスとでは、その粘性により、送気用チューブ若しくは送気管路を進行するときの管路抵抗は、空気に比べてＣＯ２ガスは小さい。そうすると、特許文献１の発明で、空気の代わりにＣＯ２ガスを用いると、ＣＯ２ガスの流量が多くなるという問題がある。ＣＯ２ガスの流量が多くなると、過剰なＣＯ２ガスが腹腔内に吐出されるため、腹腔内圧が加圧状態となり、ＣＯ２ガスの吸収が増加してしまうという問題がある。
【０００６】
そこで、本発明は、内視鏡の観察窓を洗浄した後の乾燥にあたり、過剰なＣＯ２ガスを供給することなく、高い乾燥効果で観察窓を乾燥することを目的とする。
【課題を解決するための手段】
【０００７】
本発明の内視鏡の観察窓洗浄機構は、内視鏡の挿入部先端に設けられる観察窓を洗浄するために、前記挿入部先端に向けて洗浄液又は加圧されたＣＯ２ガスを選択的に供給できる噴射ノズルを前記内視鏡先端部に設け、前記噴射ノズルに前記ＣＯ２ガスを供給するための通路となる液滴除去用ガス供給管路と前記洗浄液を供給するための通路となる洗浄液供給管路とが前記内視鏡の内部に具備され、前記内視鏡内で前記液滴除去用ガス供給管路と前記洗浄液供給管路とが合流された内視鏡と、前記内視鏡の前記液滴除去用ガス供給管路と接続され、前記ＣＯ２ガスを供給するための液滴除去用ガス配管と、  前記内視鏡の前記洗浄液供給管路と接続され、前記洗浄水を供給するための洗浄液配管とを有し、前記液滴除去用ガス配管の流路断面は前記洗浄液配管の流路断面よりも小さく形成することを特徴とする。
【発明の効果】
【０００８】
本発明は、過剰なＣＯ２ガスを供給することなく、且つ高い液滴除去、乾燥効果を発揮できる。同時にチューブの誤接続を防止することもできる。
【発明を実施するための最良の形態】
【０００９】
以下、図面を参照して本発明の実施形態について説明する。図１は、腹腔内に硬性内視鏡１を挿入して、検査及び処置を行うものに適用した場合について示している。図１に示されるように、硬性内視鏡１はトラカール１０に導かれて腹腔内に挿入される。硬性内視鏡１は挿入部２と本体操作部３とを有して構成され、本体操作部３はユニバーサルコード４により光源７１及び図示しないプロセッサ装置に接続される。本体操作部３には、液滴除去用ガス配管４０と洗浄液配管３０とが接続される。洗浄液配管３０及び液滴除去用ガス配管４０としては、主にチューブが適用される。そして、洗浄液配管３０及び液滴除去用ガス配管４０は一体に形成されたマルチルーメンチューブ５０として、本体操作部３に着脱可能に接続される。
【００１０】
ＣＯ２ガスボンベ８０にはガス供給用配管９０が接続され、ガス供給用配管９０は安全弁７３、減圧弁７２及びフィルタ７４を経由する。ガス供給用配管９０も主に高圧ホースが適用される。ガス供給用配管９０は、一端がＣＯ２ガスボンベ８０に接続され、他端が洗浄液タンク６０に導出される。洗浄液タンク６０には洗浄液が充填され、ガス供給用配管９０を経由して供給されるＣＯ２ガスは、ガス供給用配管９０に接続される後述の加圧用ガスパイプ６７により、洗浄液タンク６０の洗浄液の上部の空間に導かれる。そして、洗浄液タンク６０の洗浄液には後述する洗浄液供給パイプ６５の一端が浸漬され、当該洗浄液供給パイプ６５には洗浄液配管３０が接続される。
【００１１】
硬性内視鏡１の挿入部２は、本体操作部３から硬質部２ａ、アングル部２ｂ、先端硬質部２ｃの順に連結される。腹腔内の検査及び処置を行うために、挿入部２の大半の長さ分は硬質部２ａにより占められる。ただし、軟性内視鏡を用いることもできる。その場合は、硬質部２ａの部分が軟性部により構成される。アングル部２ｂは、先端硬質部２ｃを所望の方向に向けるために、遠隔操作により上下及び左右に湾曲操作できるようになっている。このため、本体操作部３には後述するアングル操作手段１６が設けられており、術者の操作でアングル部２ｂを湾曲させて、先端硬質部２ｃを所望の方向に向くように制御される。
【００１２】
図２は、硬性内視鏡１の内部の概略を示すものである。照明窓４１は被検部位に光を照射するために具備されるものであり、光源７１の照明光により被検部位に光を照射する。従って、光源７１と照明窓４１との間は、ユニバーサルコード４から本体操作部３及び挿入部２に挿通させた光学繊維束からなるライトガイド４２により接続される。
【００１３】
観察窓２５は、被検部位の観察を行うために具備されるものである。観察窓２５からは被検部位の反射光が入射し、当該入射光は対物レンズ２６により固体撮像素子２７に結像される。固体撮像素子２７は入射光を電気信号に変換して、当該電気信号は信号ケーブル２８を経由して、図示しないプロセッサ装置等により所定の画像処理が施されて、被検部位の画像が取得され得る。観察窓２５は、対物レンズ２６を保護するカバーガラスの役割を発揮する。従って、観察窓２５は腹腔内において露出するため、汚損物等の除去のために、観察窓２５の洗浄が行われる。
【００１４】
噴射ノズル２１は、観察窓２５の洗浄を行うために、洗浄液を噴射し、その後、観察窓２５に付着した洗浄液の液滴を除去するためにＣＯ２ガスを噴射して、液滴を吹き飛ばすことにより観察窓２５の乾燥を行う。従って、噴射ノズル２１は、硬性内視鏡１の挿入部２の先端から突出している。本体操作部３に着脱可能に接続されるマルチルーメンチューブ５０のうち、洗浄液配管３０は洗浄液供給管路２３に接続され、液滴除去用ガス配管４０は液滴除去用ガス供給管路２４に接続される。従って、洗浄液は洗浄液供給管路２３を経由して、ＣＯ２ガスは液滴除去用ガス供給管路２４を経由して、噴射ノズル２１まで導かれる。噴射ノズル２１は、洗浄液及びＣＯ２ガスの両者を噴射する機能を担うため、洗浄液供給管路２３と液滴除去用ガス供給菅路２４とは途中で（図中では先端部付近で）合流される。
【００１５】
そして、洗浄液及びＣＯ２ガスは、所定の圧力をもって何れか一方が供給されるため、噴射ノズル２１から洗浄液又はＣＯ２ガスの何れか一方が観察窓２５に向かって噴射される。洗浄液又はＣＯ２ガスの何れか一方を選択的に噴射させるために、送水ボタン２３Ｓ及び送気ボタン２４Ｓが具備され、何れかのボタンが押下されることにより、送気又は送水のためのバルブ（送気バルブ２４Ｂ、送水バルブ２３Ｂ）の開閉制御が行われる。これにより、何れかの噴射流体を選択することができる。何れのボタンも押下されていない場合には、送気バルブ２４Ｂ及び送水バルブ２３Ｂは閉鎖状態にあるため、噴射ノズル２１からは洗浄液及びＣＯ２ガスの何れも噴射されない。
【００１６】
図１に戻って、本体操作部３には術者がアングル部２ｂを操作するためのアングル操作手段１６が装着されている。アングル操作手段１６に設けられるアングル操作レバー１２を操作することにより、図示しない操作ワイヤが駆動し、アングル部２ｂは先端硬質部２ｃが所望の方向に向くように制御する。また、アングル部２ｂの湾曲状態をロックするためのロックレバー１４が設けられている。図１の硬性内視鏡１は、あくまでも一例を示したものであるため、このような構成に限定されず、各種の内視鏡に本発明を適用することができる。
【００１７】
次に、マルチルーメンチューブ５０を構成する液滴除去用ガス配管４０や洗浄液配管３０等について説明する。ＣＯ２ガスボンベ８０には、ＣＯ２ガスが充填され、当該ＣＯ２ガスを術者の操作により吐出する。ＣＯ２ガスボンベ８０にはガス供給用配管９０の一端が接続される。そして、ガス供給用配管９０の経路には安全弁７３、減圧弁７２及びフィルタ７４が接続される。
【００１８】
ＣＯ２ガスボンベ８０からＣＯ２ガスが供給されることにより、先端硬質部２ｃに設けられる噴射ノズル２１からＣＯ２ガスが噴射されるが、安全性確保のため、噴射ノズル２１からの噴射圧が極端に上昇しないように、最高圧力が安全弁７３により規制される。減圧弁７２は噴射ノズル２１から一定の圧力でＣＯ２ガスが噴射されるように制御するために、ＣＯ２ガスボンベ８０から吐出されたＣＯ２ガスの圧力を一定にする。
【００１９】
図中では、安全弁７３及び減圧弁７２は光源７１と共に、光源装置７０の内部に具備されているが、安全弁７３及び減圧弁７２はＣＯ２ガスボンベ８０から洗浄液タンク６０までの間の任意の位置に配置することが可能である。フィルタ７４はＣＯ２ガスに不純物が混入されている場合に、それを除去する機能を発揮する。ＣＯ２ガスは腹腔内に導入されるため、不純物を除去する必要があるからである。
【００２０】
フィルタ７４を経由したガス供給用配管９０は洗浄液タンク６０において、分岐して一方が洗浄液タンク６０の内部に導出され、他方が本体操作部３に導出される。図３は洗浄液タンク６０の外観図を示し、図４は洗浄液タンク６０の概念図を示している。洗浄液タンク６０の上部には各配管を接続するための接続ユニット６９が設けられ、接続ユニット６９は、加圧用ガスパイプ６７と液滴除去用ガス供給パイプ６４と洗浄液供給パイプ６５とを有して構成される。液滴除去用ガス配管４０と洗浄液配管３０とは並列した状態で一体となって形成されるマルチルーメンチューブ５０として接続される。これに伴い、液滴除去用ガス配管４０に接続される液滴除去用ガス供給パイプ６４と、洗浄液配管３０に接続される洗浄液供給パイプ６５とは並列した配置態様で設けられる。これらは、並列した配置態様であれば、水平方向や垂直方向等の任意の方向であってもよい。
【００２１】
加圧用ガスパイプ６７の一端は、ＣＯ２ガスボンベ８０からのガス供給用配管９０と接続され、他端は洗浄液の上部の空間に導かれる。一方、加圧用ガスパイプ６７は途中で液滴除去用ガス供給パイプ６４に分岐し、ＣＯ２ガスボンベ８０から供給されるＣＯ２の一部は液滴除去用ガス供給パイプ６４を経由して、硬性内視鏡１に接続される液滴除去用ガス配管４０に導かれる。一方、洗浄液供給パイプ６５は洗浄液配管３０に洗浄液を供給するために設けられるものである。洗浄液供給パイプ６５の一端は洗浄液配管３０に接続され、他端は生理食塩水等の洗浄液の液面下に浸漬されている。
【００２２】
ＣＯ２ガスボンベ８０からはＣＯ２ガスが吐出され、加圧用ガスパイプ６７からＣＯ２ガスが洗浄液タンク６０の内部に導かれ、洗浄液タンク６０の内部は高圧になる。そこで、送水バルブ２３Ｂを開くと、洗浄液には液面加圧が作用することにより、洗浄液供給パイプ６５から洗浄液配管３０を経由して、挿入部２の先端に設けられる噴射ノズル２１に導かれ、当該噴射ノズル２１から洗浄液が噴射される。
【００２３】
ここで、送気バルブ２４Ｂが開かれると、ＣＯ２ガスボンベ８０から供給されるＣＯ２ガスが、噴射ノズル２１からＣＯ２ガスを噴射させて観察窓２５に付着した洗浄液の液滴を除去して乾燥する役割を発揮し、また、洗浄液タンク６０の内部に液面加圧を作用させることにより、噴射ノズル２１から洗浄液を噴射させて観察窓２５に付着した汚損物を洗浄する役割を発揮する。
【００２４】
本発明では、洗浄液タンク６０と硬性内視鏡１とを接続する液滴除去用ガス配管４０の径と洗浄液配管３０の径との間に径差を持たせている。つまり、液滴除去用ガス配管４０の径は洗浄液配管３０の径と比較して細く形成している（液滴除去用ガス配管４０の流路断面を洗浄液配管３０の流路断面よりも小さく形成している）。液滴除去用ガス配管４０はＣＯ２ガスを噴射ノズル２１まで導くものであるが、ＣＯ２ガスの管路抵抗は空気の管路抵抗と比較して小さいことは上述したとおりである。従って、液滴除去用ガス配管４０の径を積極的に制御しないと、過剰なＣＯ２ガスが噴射ノズル２１から腹腔内に流出してしまい、安全性の確保という点から問題がある。
【００２５】
つまり、従来は、ＣＯ２ガスではなく空気を用いて液滴除去及び洗浄液の液面加圧を行っていたが、洗浄液に対して液面加圧を作用させるために十分な内径を確保するという観点から配管の設計がされていた。このため、十分な液面加圧を確保するということに主眼が置かれていたため、両者の内径に積極的に径差を持たせることはしていなかった。ＣＯ２ガスを用いる場合も、この構成を採用して両者の内径に積極的に径差を持たせない場合、ＣＯ２ガスは空気と比較して粘性が低いため、液面加圧に必要十分なＣＯ２ガスの流量を確保しようとすると、ある程度の大きさの内径が必要となり、腹腔内に大量のＣＯ２ガスが導かれる。一方、腹腔内に大量のＣＯ２ガスを導かないようにするために、両者の内径を細径化すると、液面加圧に必要十分なＣＯ２ガスの流量を確保することができない。
【００２６】
そこで、洗浄液タンク６０から本体操作部３までの間の液滴除去用ガス配管４０の内径と洗浄液配管３０の内径との間に積極的に径差を持たせている。つまり、液滴除去用ガス配管４０の内径を洗浄液配管３０の内径よりも細くしている。これにより、ＣＯ２ガスの送気過多を防止し、同時に液面加圧に必要十分なＣＯ２ガスの流量を確保することが可能になる。このときの径差としては、洗浄液配管３０の内径は液滴除去用配管４０の内径よりも、空気とＣＯ２ガスとの粘性から考慮して、おおよそ「１．５倍〜２．５倍」程度とすることが好ましい。
【００２７】
ただし、単純にＣＯ２ガスの腹腔内への過剰供給を防止するために洗浄液配管３０の内径を細くしているのではない。そもそも、観察窓２５に付着した液滴を除去して乾燥を行うのに必要であるものは、ＣＯ２ガスの送気量ではなく、送気圧力である。つまり、観察窓２５の液滴を除去するためには、高い圧力をもってＣＯ２ガスを吹き付けることが必要であり、低圧力のＣＯ２ガスを大量に吹き付けても、高い液滴除去効果は発揮し得ない。そこで、液滴除去用ガス配管４０の内径を絞ることにより、管路抵抗の低いＣＯ２ガスは高い圧力をもって液滴除去用ガス配管４０を進行することになる。特に、液滴除去用ガス配管４０のチューブは長いものである。そうすると、ＣＯ２ガスボンベ８０からは一定圧のＣＯ２ガスが供給され、流路断面が小さい液滴除去用ガス配管４０を長距離に渡ってＣＯ２ガスが進行することになる。径を絞ったことによる高圧力化の効果は、チューブの長さが長くなるに応じて高くなる。よって、全長が長い液滴除去用ガス配管４０の内径を絞ることにより、十分に高い圧力をもって適量なＣＯ２ガスを噴射することができる。これにより、観察窓２５に付着した洗浄液の除去効果を高くしつつ、過剰なＣＯ２ガスを腹腔内に噴射されることを防止することができる。
【００２８】
一方、図３及び４から明らかなように、ガス供給用配管９０の内径は、液滴除去用ガス配管４０の内径よりも太く（流路断面を大きく）形成している。洗浄液は、ＣＯ２ガスボンベ８０からのＣＯ２ガスを洗浄液タンク６０の内部に供給することにより、洗浄液に液面加圧が作用し、洗浄液配管３０を経由して噴射ノズル２１まで導かれる。一方、ＣＯ２ガスボンベ８０からのＣＯ２ガスは、噴射ノズル２１から噴射される洗浄液の加圧とＣＯ２ガスとの２つの役割を果たす。そうすると、洗浄液タンク６０から硬性内視鏡１までの間のガス供給用配管９０の内径を細く形成した場合、洗浄液を噴射させるために必要なＣＯ２ガスの供給量を十分に確保することができず、必要な液面加圧を作用させるまでには長時間を要することになる。
【００２９】
そこで、ガス供給用配管９０の内径を太く形成している。ガス供給用配管９０の内径を太く形成すると、洗浄液タンク６０には大量のＣＯ２ガスを供給でき、液面加圧に必要なＣＯ２ガスの量を迅速に確保することができる。これに伴い、加圧用ガスパイプ６７の径も、ＣＯ２ガスの供給量を多くするために太くする。このため、洗浄液を送水するために必要な送水圧まで短時間で引き上げることができ、噴射ノズル２１からの洗浄液の噴射の応答性を高めることができる。特に、挿入部先端２ｃに具備される図示しない処置具挿通チャンネルから電気メスを突出させて患部に対する処置を行うときには、観察窓２５には油膜等が付着し易いことから、頻繁に観察窓２５の洗浄を行う必要がある。そうすると、洗浄液を供給する応答性が速くなれば、迅速に鮮明な視界を確保することができる。ガス供給用配管９０の内径を太くすると、この点でのメリットがある。
【００３０】
一方、ガス供給用配管９０の内径を太くしたとしても、硬性内視鏡１までの間の液滴除去用ガス配管４０の内径は細くしているため、噴射ノズル２１から腹腔内に過剰なＣＯ２ガスが噴射されることはない。
【００３１】
また、図３にも示されるように、洗浄液タンク６０の出口を構成する液滴除去用ガス供給パイプ６４及び洗浄液供給パイプ６５は並列した配置態様を採用している。そこで、これらに接続される液滴除去用ガス配管４０と洗浄液配管３０とは一体となったマルチルーメンチューブ５０を採用する。マルチルーメンチューブは、複数の孔路が隣接して並列に並んで配列されるチューブであるため、本発明では、マルチルーメンチューブの複数の孔路は、液滴除去用ガス配管４０と洗浄液配管３０との２つの孔路である。マルチルーメンチューブを採用すると、複数のチューブを一本化することができ、配管が複雑化することを防止することができる。
【００３２】
マルチルーメンチューブ５０は２つの孔を有し、洗浄液タンク６０の接続ユニット６９からは液滴除去用ガス供給パイプ６４及び洗浄液供給パイプ６５の２つのパイプが接続口として臨んでいる。従って、液滴除去用ガス供給パイプ６４には液滴除去用ガス配管４０を、洗浄液供給パイプ６５には洗浄液配管３０を接続しなくてはならないが、液滴除去用ガス配管４０と洗浄液配管３０とは一体となったマルチルーメンチューブ５０であるため、接続を行うときに誤って逆に接続を行う可能性もある。つまり、液滴除去用ガス配管４０と洗浄液配管３０との間に積極的に径差を持たせない場合は、液滴除去用ガス配管４０と洗浄液供給パイプ６５とを接続し、洗浄液配管３０と液滴除去用ガス供給パイプ６４とを誤って接続するという可能性もある。
【００３３】
誤接続を行った場合、本体操作部３の送気ボタン２４Ｓを押下すると、送気バルブ２４Ｂが開放状態になるため、噴射ノズル２１から洗浄液が噴射され、送水ボタン２３Ｓを押下すると、送水バルブ２３Ｂが開放状態になるため、噴射ノズル２１からＣＯ２ガスが噴射されるといった誤操作が行われ、患者保護の観点から大きな問題となる。
【００３４】
そこで、本発明では、上述したように、液滴除去用ガス配管４０と洗浄液配管３０との間、並びに液滴除去用ガス供給パイプ６４と洗浄液供給パイプ６５との間には積極的に径差を持たせている。そうすると、上記のような誤接続を行うことができなくなる。このため、誤接続を防止し得る。
【００３５】
以上説明したように、液滴除去用ガス配管と洗浄液配管との流路断面に差を持たせることにより、高圧力をもってＣＯ２ガスを噴射することができるため、過剰にＣＯ２ガスが腹腔内に噴射されることを防止でき、且つ高い液滴除去、乾燥効果を期待できる。同時に、流路断面に積極的に差を持たせることにより、誤接続を防止することもできる。
【図面の簡単な説明】
【００３６】
【図１】本発明の内視鏡の観察窓洗浄機構の概略構成図である。
【図２】硬性内視鏡の説明図である。
【図３】洗浄液タンクの外観図である。
【図４】洗浄液タンクの概念図である。
【符号の説明】
【００３７】
１    硬性内視鏡            ２    挿入部
３    本体操作部            １０    トラカール
２１    噴射ノズル            ２３    洗浄液供給管路
２４    液滴除去用ガス供給菅路    ２３Ｓ    送水ボタン
２４Ｓ    送気ボタン            ２５    観察窓
３０    洗浄液配管            ４０    液滴除去用ガス配管
５０    マルチルーメンチューブ    ６０    洗浄液タンク
６４    液滴除去用ガス供給パイプ    ６５    洗浄液供給パイプ
６７    加圧用ガスパイプ        ６９    接続ユニット
８０    ガスボンベ            ９０    ガス供給用配管
【図１】
2007252673.tif 000003
【図２】
2007252673.tif 000004
【図３】
2007252673.tif 000005
【図４】
2007252673.tif 000006